(57)【要約】  【課題】      蓋部材の離脱を防止できる床見切り材を提供する。  【解決手段】  床見切り材１０は、溝２２を有する基材１６と、差込片３２を有する蓋部材１８とを備えており、溝２２の側壁は、弾性突条２８によって構成されている。そして、溝２２の幅は、溝２２の対向する２つの内側面を略「八」字状に傾斜させて平坦に形成することによって、底部へ向かって広げられており、差込片３２の下部の厚みは、突条３６を設けることによって、その上部の厚みおよび溝２２の上部の幅よりも厚く設定されている。したがって、差込片３２を溝２２に差し込んだ状態では、差込片３２が溝２２の内側面に係止され、差込片３２が溝２２の内側面に接触した状態では、溝２２の内側面から差込片３２に対して弾性突条２８の復元力が作用する。  【選択図】    図１
2005155218.tif 000002
【特許請求の範囲】
【請求項１】
隣り合う床材の間において床下地材の上面に敷設される長尺板状の基材本体と前記基材本体の上部に設けられた溝とを有する基材、および隣り合う床板の間に生じた隙間を覆う蓋本体と前記蓋本体の下面に設けられて前記溝に差し込まれる差込片とを有する蓋部材を備える、床見切り材において、
前記溝の少なくとも一方の内側面を平坦な傾斜面で構成することによって前記溝の幅が底部へ向かって広げられており、前記溝の少なくとも一方の側壁が基材本体の上部に設けられた弾性突条によって構成されており、前記差込片の下部の厚みがその上部の厚みおよび前記溝の上部の幅よりも厚くされていることを特徴とする、床見切り材。
【請求項２】
前記差込片の下端部を尖らせた、請求項１に記載の床見切り材。
【発明の詳細な説明】
【技術分野】
【０００１】
この発明は、隣り合う床材の間において床材の端部を仕上げるのに用いられる、床見切り材に関する。
【背景技術】
【０００２】
この種の従来の床見切り材の一例が、特許第３４１７２４１号公報（特許文献１）に開示されている。この従来の床見切り材は、隣り合う床板の間において床下地材の上面に敷設される基材と、隣り合う床板の間に生じた隙間を覆う蓋部材とによって構成されており、基材に対して蓋部材を装着する際には、基材に設けられた溝に蓋部材に設けられた差込片を差し込むようにしていた。
【０００３】
しかし、この床見切り材では、基材に設けられた溝の対向する２つの側面が互いに平行に延びて形成されていたので、溝に差し込まれた差込片を溝の内部において係止することができず、基材から蓋部材が簡単に離脱してしまうという問題があった。
【０００４】
そこで、従来の他の床見切り材１では、図６に示すように、溝２の内側面に凸部３を形成するとともに、差込片４の側面に凹部５を形成し、凸部３と凹部５とを嵌め合わせることによって基材６から蓋部材７が離脱するのを防止していた。
【特許文献１】特許第３４１７２４１号
【発明の開示】
【発明が解決しようとする課題】
【０００５】
従来の床見切り材１（図６）では、凸部３と凹部５とを嵌め合わせることによって基材６から蓋部材７が離脱するのを防止していたので、蓋部材６の高さを微調整することができなかった。そのため、床板８と蓋部材７との間に隙間９が生じて、見栄えが悪くなるという問題があった。
【０００６】
それゆえに、この発明の主たる目的は、床板と蓋部材との間に隙間を生じることなく蓋部材の離脱を防止できる床見切り材を提供することである。
【課題を解決するための手段】
【０００７】
請求項１に記載した発明は、「隣り合う床材１４の間において床下地材１２の上面に敷設される長尺板状の基材本体２０と基材本体２０の上部に設けられた溝２２とを有する基材１６、および隣り合う床板１４の間に生じた隙間Ａを覆う蓋本体３０と蓋本体３０の下面に設けられて溝２２に差し込まれる差込片３２とを有する蓋部材１８を備える、床見切り材１０において、溝２２の少なくとも一方の内側面を平坦な傾斜面で構成することによって溝２２の幅が底部へ向かって広げられており、溝２２の少なくとも一方の側壁が基材本体２０の上部に設けられた弾性突条２８によって構成されており、差込片３２の下部の厚みがその上部の厚みおよび溝２２の上部の幅よりも厚くされていることを特徴とする、床見切り材１０」である。
【０００８】
この発明では、基材本体２０の上部に設けられた弾性突条２８によって溝２２を構成しているので、差込片３２を溝２２に差し込む際には、弾性突条２８が外側へ押されて溝２２の入口が広げられる。差込片３２を溝２２に差し込んだ状態では、差込片３２の下部の厚みが溝２２の上部の幅よりも厚いので、差込片３２が溝２２の傾斜した内側面に係止されることになる。また、差込片３２が溝２２の傾斜した内側面に接触した状態から蓋部材１８を離脱させようとすると、溝２２を構成する弾性突条２８が弾性変形されることになり、溝２２の内側面から差込片３２には、弾性突条２８の復元力すなわち「蓋部材１８を引き戻そうとする力」が作用する。
【０００９】
請求項２に記載した発明は、請求項１に記載した「床見切り材１０」において、「差込片３２の下端部を尖らせた」ことを特徴とする。
【００１０】
この発明では、差込片３２の下端部を尖らせているので、差込片３２を溝２２に差し込む作業が容易である。
【発明の効果】
【００１１】
請求項１および２に記載した発明によれば、溝に差し込まれた差込片を溝の内側面で係止することができるので、蓋部材が基材から離脱するのを防止できる。また、溝２２の少なくとも一方の内側面を平坦な傾斜面で構成し、これによって溝の幅を底部へ向かって広げているので、基材に蓋部材を装着した状態で差込片が溝の傾斜した内側面に接触するようにすれば、その内側面から差込片には、弾性突条の復元力が常に作用することになる。したがって、蓋部材が不所望に浮き上がる心配はなく、床板の厚みによって蓋部材の高さを微調整することによって床板と蓋部材との間に隙間が生じるのを防止できる。
【発明を実施するための最良の形態】
【００１２】
図１および図２を参照して、本発明が適用された床見切り材１０は、床下地材１２の上面に敷設された床材１４の端部を仕上げるのに用いられるものであり、基材１６と蓋部材１８とによって構成されている。
【００１３】
基材１６は、図１および図２に示すように、隣り合う床材１４の間において床下地材１２の上面に敷設される長尺板状の基材本体２０と、基材本体２０の上部に設けられた２つの溝２２とによって構成されている。
【００１４】
基材本体２０の幅は、床板１４の間に生じた隙間Ａの幅よりもやや狭く設定されており、基材本体２０の厚みは、床板１４の厚みよりも十分に薄く設定されている。また、基材本体２０の下面は、床下地材１２の上面と密接し得るように平坦に形成されており、基材本体２０の上部には、釘またはネジ等の固定具２４を位置決めするための位置決め溝２６が長手方向へ延びて形成されている。
【００１５】
各溝２２の側壁は、基材本体２０の上部に設けられた２つの弾性突条２８によって構成されており、溝２２の対向する２つの内側面（すなわち、各弾性突条２８の内側面）は、略「八」字状に傾斜して平坦に形成されており、これにより溝２２の幅は底部へ向かって広げられている。
【００１６】
蓋部材１８は、床板１４の間に生じた隙間Ａを覆う長尺板状の蓋本体３０と、蓋本体３０の下面に設けられた２つの差込片３２とによって構成されている。
【００１７】
蓋本体３０の幅は、床板１４の間に生じた隙間Ａの幅よりもやや広く設定されており、蓋本体３０の厚みは、歩行の障害とならない程度に薄めに設定されており、蓋本体３０の幅方向両端部における上部の角は面取りされている。
【００１８】
各差込片３２は、溝２２に対して着脱自在に差し込まれるものであり、蓋本体３０の下面に対して垂直に延びる長尺板状の本体部３４を含む。そして、本体部３４の下端部は、下方へ向けて尖らされており、本体部３４の両側面には、長手方向へ延びる複数（この実施例では３つ）の突条３６が上下方向へ間隔を隔てて形成されている。
【００１９】
溝２２に差し込まれた差込片３２のがたつきを防止するためには、溝２２の内側面と差込片３２との接触面積を大きくすることが望ましい。そこで、この実施例では、突条３６の全てを溝２２の内側面に接触させることができるように、突条３６の大きさが、本体部３４の上部から下部へ向かうにつれて徐々に大きくなるように設定されている。また、溝２２に差し込まれた差込片３２の離脱を防止するためには、差込片３２の下部の厚みをその上部の厚みおよび溝２２の上部の幅よりも厚くする必要がある。そこで、この実施例では、本体部３４の下部に位置する突条３６の大きさを大きく設定することによって、差込片３２の下部の厚みがその上部の厚みおよび溝２６の上部の幅よりも厚く設定されている。
【００２０】
なお、基材１６および蓋部材１８の材料としては、特に限定されるものではないが、挽材、合板、木質繊維板（ＩＢ，ＭＤＦ等）、木削片板（パーティクルボード、ストランドボード、ＯＳＢ等）、集成材、単板積層材等の木質系材料、硬質塩化ビニール樹脂、ＡＢＳ樹脂、ＰＳ樹脂（ポリスチレン樹脂）等の合成樹脂材料、ステンレス、アルミ等の金属系材料等が用いられ得る。
【００２１】
また、基材１６および蓋部材１８の表面には、化粧紙、化粧樹脂含浸紙または化粧合成樹脂シートからなる化粧材が貼り付けられてもよく、これらの化粧材に着色塗装、柄模様印刷または透明塗装等が施されてもよい。さらに、化粧材が貼り付けられた後に、化粧材の表面に着色塗装や透明塗装が施されてもよい。
【００２２】
そして、基材１６と蓋部材１８とは、同じ材料で形成されてもよいし、異なる材料で形成されてもよい。
【００２３】
床見切り材１０を用いて床材１４の端部を仕上げる際には、図２に示すように、まず、床材１４の間に生じた隙間Ａにおいて床下地材１２の上面に基材１６を配置し、基材１６を床下地材１２に対して固定具２４を用いて固定する。続いて、基材１６の上方に蓋部材１８を位置決めし、基材１６の溝２２に蓋部材１８の差込片３２を差し込む。このとき、差込片３２の尖らされた下端部が溝２２の入口を押し広げるので、差込片３２の差込作業は容易である。
【００２４】
差込片３２を溝２２に差し込んだ状態では、差込片３２の下部の厚みが溝２２の上部の幅よりも厚いので、差込片３２が溝２２の内側面に係止されることになる。また、溝２２の対向する２つの面を略「八」字状に傾斜させて平坦に形成しているので、基材１６に蓋部材１８を装着した状態で差込片３２が溝２２の傾斜した内側面に接触するようにすれば、溝２２の内側面から差込片３２には、弾性突条２８の復元力が常に作用することになる。したがって、蓋部材１８が不所望に浮き上がったり、離脱したりする心配はない。
【００２５】
なお、上述の実施例では、差込片３２の下端部を略三角形にすることによって、「尖らされた部分」と「突条３６」とを区別なく一体的に形成しているが、たとえば図３に示すように、「尖らされた部分３８」と「突条３６」とを区別して形成してもよい。
【００２６】
また、上述の実施例では、差込片３２における本体部３４の両側面に突条３６を形成し、この突条３６を溝２２の内側面に接触させるようにしているが、たとえば図４に示すように、本体部３４の両側面を略「八」字状に形成し、この両側面を溝２２の内側面に接触させるようにしてもよい。この場合には、溝２２の内側面と差込片３２との接触面積が大きくなるので、溝２２の内側面から差込片３２に対して、弾性突条２８の復元力をより効率よく作用させることができる。したがって、蓋部材１８の浮き上がりや離脱をより確実に防止できる。
【００２７】
そして、上述の実施例では、溝２２の２つの内側面を平坦な傾斜面で構成するとともに、溝２２の２つの側壁を弾性突条２８で構成しているが、たとえば図５に示すように、いずれか一方の内側面だけを平坦な傾斜面で構成してもよいし、いずれか一方の側壁だけを弾性突条２８で構成してもよい。さらに、溝２２の数は、１つでもよいし、３つ以上であってもよい。
【図面の簡単な説明】
【００２８】
【図１】床見切り材を示す断面図である。
【図２】床見切り材を示す斜視図である。
【図３】他の床見切り材を示す断面図である。
【図４】他の床見切り材を示す断面図である。
【図５】他の床見切り材を示す断面図である。
【図６】従来技術を示す断面図である。
【符号の説明】
【００２９】
１０…  床見切り材
１２…  床下地材
１４…  床板
１６…  基材
１８…  蓋部材
２０…  基材本体
２２…  溝
２４…  固定具
２８…  弾性突条
３０…  蓋本体
３２…  差込片
３４…  本体部
３６…  突条
【図１】
2005155218.tif 000003
【図２】
2005155218.tif 000004
【図３】
2005155218.tif 000005
【図４】
2005155218.tif 000006
【図５】
2005155218.tif 000007
【図６】
2005155218.tif 000008